【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
所定の始動条件が成立したことに基づき遊技領域にて補助遊技を実行し、該補助遊技の結果に対応して遊技者に特典を付与する特別遊技状態を発生可能な遊技機において、
前記遊技領域における遊技を統括的に制御する遊技制御装置と、
前記遊技制御装置からの指令に対応して当該遊技機に関わる所要の制御を行う従属制御装置と、が備えられ、
前記遊技制御装置は、
前記従属制御装置に指令を出力するための通信用ポートと、
所定の起動信号に対応して前記通信用ポートを初期状態にする初期化手段と、
遊技制御プログラムにより所要の演算処理を行う演算処理手段と、
前記演算処理手段によって更新される情報が記憶され、当該遊技機への電源供給が停止しても前記記憶された情報の記憶保持が可能な記憶手段と、
前記起動信号の発生後に、前記記憶手段に記憶保持された情報の正当性を判定する正当性判定手段と、
前記通信用ポートを前記初期状態のまま所定時間維持するための維持タイマを計時するタイマ計時手段と、
更新可能な情報が記憶されて、且つ前記正当性判定手段による正当性判定の対象とならない判定対象外記憶領域と、を備え、
前記従属制御装置は、前記通信用ポートが前記初期状態を維持している間に起動し、該通信用ポートからの指令を受信可能な指令受信可能状態となるとともに、
前記タイマ計時手段は、前記正当性判定手段によって正当性が判定される前記記憶手段を使用することなく、前記正当性判定手段による正当性判定の対象とならない前記判定対象外記憶領域を使用して前記維持タイマを計時することを特徴とする遊技機。
【請求項２】
前記記憶手段は、情報を退避させるためのスタック領域を含み、
前記正当性判定手段は、前記記憶手段の前記スタック領域以外の領域に記憶されている情報の正当性を判定し、
前記判定対象外記憶領域は、前記スタック領域に設定されることを特徴とする請求項１に記載の遊技機。
【請求項３】
前記遊技制御装置は、
前記記憶手段に記憶された情報の更新を規制する更新規制手段と、
前記正当性判定手段によって判定された前記正当性に応じて前記記憶手段を初期化する記憶手段初期化手段と、を備え、
前記更新規制手段は、前記起動信号が発生すると前記演算処理手段による前記記憶手段の更新を規制し、前記記憶手段初期化手段によって前記記憶手段が初期化される場合には当該記憶手段の更新の規制を解除することを特徴とする請求項１又は請求項２に記載の遊技機。
【請求項４】
前記タイマ計時手段が前記維持タイマを計時している間は、前記更新規制手段が前記記憶手段の更新を規制していることを特徴とする請求項３に記載の遊技機。
【請求項５】
前記更新規制手段は、前記正当性判定手段が前記正当性を判定する前に、前記記憶手段の更新の規制を解除し、
前記演算処理手段は、前記更新規制手段によって前記記憶手段の更新の規制が解除されると、前記スタック領域に基づいて設定処理を実行することを特徴とする請求項３に記載の遊技機。
【請求項６】
前記記憶手段のすべての領域を初期化する初期化指示を受け付ける初期化指示受付手段を備え、
前記演算処理手段は、前記初期化指示受付手段が前記初期化指示を受け付けたか否かを確認するために、前記初期化指示受付手段から前記初期化指示を読み込む読込処理を前記記憶手段を用いることなく複数回実行し、
前記タイマ計時手段は、前記複数回実行される前記読込処理の間に、前記維持タイマを計時することを特徴とする請求項１〜請求項５のいずれか一つに記載の遊技機。
【手続補正２】
【補正対象書類名】明細書
【補正対象項目名】０００９
【補正方法】変更
【補正の内容】
【０００９】
第１の発明は、所定の始動条件が成立したことに基づき遊技領域にて補助遊技を実行し、該補助遊技の結果に対応して遊技者に特典を付与する特別遊技状態を発生可能な遊技機において、前記遊技領域における遊技を統括的に制御する遊技制御装置と、前記遊技制御装置からの指令に対応して当該遊技機に関わる所要の制御を行う従属制御装置と、が備えられ、前記遊技制御装置は、前記従属制御装置に指令を出力するための通信用ポートと、所定の起動信号に対応して前記通信用ポートを初期状態にする初期化手段と、遊技制御プログラムにより所要の演算処理を行う演算処理手段と、前記演算処理手段によって更新される情報が記憶され、当該遊技機への電源供給が停止しても前記記憶された情報の記憶保持が可能な記憶手段と、前記起動信号の発生後に、前記記憶手段に記憶保持された情報の正当性を判定する正当性判定手段と、前記通信用ポートを前記初期状態のまま所定時間維持するための維持タイマを計時するタイマ計時手段と、更新可能な情報が記憶されて、且つ前記正当性判定手段による正当性判定の対象とならない判定対象外記憶領域と、を備え、前記従属制御装置は、前記通信用ポートが前記初期状態を維持している間に起動し、該通信用ポートからの指令を受信可能な指令受信可能状態となるとともに、前記タイマ計時手段は、前記正当性判定手段によって正当性が判定される前記記憶手段を使用することなく、前記正当性判定手段による正当性判定の対象とならない前記判定対象外記憶領域を使用して前記維持タイマを計時することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
第２の発明は、前記記憶手段は、情報を退避させるためのスタック領域を含み、前記正当性判定手段は、前記記憶手段の前記スタック領域以外の領域に記憶されている情報の正当性を判定し、前記判定対象外記憶領域は、前記スタック領域に設定されることを特徴とする。
【手続補正５】
【補正対象書類名】明細書
【補正対象項目名】００１２
【補正方法】変更
【補正の内容】
【００１２】
第３の発明は、前記遊技制御装置は、前記記憶手段に記憶された情報の更新を規制する更新規制手段と、前記正当性判定手段によって判定された前記正当性に応じて前記記憶手段を初期化する記憶手段初期化手段と、を備え、前記更新規制手段は、前記起動信号が発生すると前記演算処理手段による前記記憶手段の更新を規制し、前記記憶手段初期化手段によって前記記憶手段が初期化される場合には当該記憶手段の更新の規制を解除することを特徴とする。
【手続補正６】
【補正対象書類名】明細書
【補正対象項目名】００１３
【補正方法】変更
【補正の内容】
【００１３】
第４の発明は、前記タイマ計時手段が前記維持タイマを計時している間は、前記更新規制手段が前記記憶手段の更新を規制していることを特徴とする。
【手続補正７】
【補正対象書類名】明細書
【補正対象項目名】００１４
【補正方法】変更
【補正の内容】
【００１４】
第５の発明は、前記更新規制手段は、前記正当性判定手段が前記正当性を判定する前に、前記記憶手段の更新の規制を解除し、前記演算処理手段は、前記更新規制手段によって前記記憶手段の更新の規制が解除されると、前記スタック領域に基づいて設定処理を実行することを特徴とする。
【手続補正８】
【補正対象書類名】明細書
【補正対象項目名】００１５
【補正方法】変更
【補正の内容】
【００１５】
第６の発明は、前記記憶手段のすべての領域を初期化する初期化指示を受け付ける初期化指示受付手段を備え、前記演算処理手段は、前記初期化指示受付手段が前記初期化指示を受け付けたか否かを確認するために、前記初期化指示受付手段から前記初期化指示を読み込む読込処理を前記記憶手段を用いることなく複数回実行し、前記タイマ計時手段は、前記複数回実行される前記読込処理の間に、前記維持タイマを計時することを特徴とする。
【手続補正９】
【補正対象書類名】明細書
【補正対象項目名】００１６
【補正方法】変更
【補正の内容】
【００１６】
本発明によれば、電源投入直後に通信用ポートが初期状態になって所定時間保持され、この間に従属制御装置が指令受信可能状態になるので、従属制御装置が起動したときに、通信用ポートが不安定な状態のまま誤ったデータが送信されることを防止できる。また、ソフトウェアを用いて所定時間のタイマ計時を行うことによって、通信用ポートが初期状態をなっている状態を所定時間維持するため、ハードウェアを用いる方法と比較すると安価な構成で済む。また、タイマ計時は正当性判定の記憶領域を用いずに行うので、正当性判定の処理も正確に行うことができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】